(57)【要約】【課題】容易に持ち運ぶことができ、保管スペースを縮小することができるテントを提供する。【解決手段】  本考案は、筒形状に組み立てられるテント１であって、長手方向一端面を開放した筒形状に組み立てられ、開放した一端面を対向させた姿勢で設置面ＧＬ上に配置される一対の外側筒部１０と、長手方向両端面を開放した筒形状に組み立てられ、一対の外側筒部１０を繋げるように設置面ＧＬ上に配置される中間筒部２０と、を備え、中間筒部２０は、長手方向に延びたヒンジ線２７を中心に回動する扉部２５を含んでいる。【選択図】図１
0003209060.tif 000002
【実用新案登録請求の範囲】
【請求項１】
筒形状に組み立てられるテント（１〜５）であって、
長手方向一端面を開放した筒形状に組み立てられ、前記開放した一端面を対向させた姿勢で設置面（ＧＬ）上に配置される一対の外側筒部（１０，３０，５０）と、
長手方向両端面を開放した筒形状に組み立てられ、前記一対の外側筒部を繋げるように前記設置面上に配置される少なくとも１つの中間筒部（２０，４０，６０）と、を備え、
前記中間筒部は、長手方向に延びたヒンジ線（２７）を中心に回動する扉部（２５）を含んでいることを特徴とするテント。
【請求項２】
前記中間筒部の長手方向両端部のうち少なくとも一方は、前記外側筒部の外面に重なることを特徴とする請求項１に記載のテント。
【請求項３】
前記外側筒部は、
前記設置面に載置される外側底面板（１１）と、
前記外側底面板の長手方向に直交する幅方向両端に接続されて多角形断面を形成する少なくとも２枚の外側側面板（１２，５１）と、
長手方向他端面の全部または一部を閉塞する外側端面板（１３，３１，５２）と、を含み、
前記中間筒部は、
前記設置面に載置される中間底面板（２１）と、
前記中間底面板の幅方向一端に接続されて前記外側筒部と同一または相似となる多角形断面を形成する少なくとも２枚の中間側面板（２２，６１）と、を含んでいることを特徴とする請求項１または２に記載のテント。
【請求項４】
幅方向他端側の前記中間側面板は、前記ヒンジ線を介して隣接する他の前記中間側面板に接続されて前記扉部を構成し、
前記中間筒部は、前記中間底面板の幅方向他端から幅方向他方に向けて延びた状態で設けられている延出片（２３）を含んでいることを特徴とする請求項３に記載のテント。
【請求項５】
前記外側筒部は、第１外側折線（１４）を介して前記外側底面板に接続される２枚の前記外側側面板を含み、
前記２枚の外側側面板は、第２外側折線（１５）を介して相互に接続され、
前記外側端面板は、第３外側折線（１６）を介して前記外側底面板に接続され、
前記外側底面板および前記外側端面板は、幅方向中央にて長手方向に延びた第４外側折線（１７）で折畳み可能に形成され、
前記外側筒部は、前記２枚の外側側面板を互いに重ね、且つ前記２枚の外側側面板の間に前記外側底面板を挟むように、前記第１外側折線、前記第２外側折線および前記第４外側折線で折り畳まれた収納形状（Ｓ１）に変形可能に形成されていることを特徴とする請求項３または４に記載のテント。
【請求項６】
前記中間筒部は、２枚の前記中間側面板を含み、
幅方向一方の前記中間側面板は、中間折線（２６）を介して前記中間底面板に接続され、
幅方向他方の前記中間側面板は、前記ヒンジ線を介して幅方向一方の前記中間側面板に接続され、
前記中間筒部は、前記中間底面板に幅方向一方の前記中間側面板を重ね、且つ幅方向一方の前記中間側面板に幅方向他方の前記中間側面板を重ねるように、前記中間折線および前記ヒンジ線で折り畳まれた収納形状（Ｓ２）に変形可能に形成されていることを特徴とする請求項３ないし５のいずれかに記載のテント。
【考案の詳細な説明】
【技術分野】
【０００１】
本考案は、筒形状に組み立てられるテントに関する。
【背景技術】
【０００２】
屋内外のイベント会場や災害時の避難所等において、組み立てて使用されるテントが知られている。このようなテントは、例えば、段ボール板等で形成されており、一時的に使用されるものである。
【０００３】
例えば、特許文献１には、段ボール板材によって三角形断面を成す筒形状に形成された簡易テントが記載されている。この簡易テントは、長さ２．２メートルの屋根と床とを備えている。長手方向端面には簡易テントの出入口になる三角開口部が形成され、この三角開口部には側壁が設けられている。
【先行技術文献】
【特許文献】
【０００４】
【特許文献１】特開２００８−１２６０２１号公報
【考案の概要】
【考案が解決しようとする課題】
【０００５】
しかしながら、上記した簡易テントは、長さ２メートルを超える非常に大きな段ボール板材で形成されていたため、作業者にとって持ち運び難いという問題があった。また、例えば、イベントや災害時に備えて簡易テントを保管する場合、長さ２メートルを超える段ボール板を収納するために、非常に大きな収納スペースが必要になることも問題であった。
【０００６】
本考案は上記した課題を解決すべく、容易に持ち運ぶことができ、保管スペースを縮小することができるテントを提供する。
【課題を解決するための手段】
【０００７】
上記した目的を達成するため、本考案は、筒形状に組み立てられるテントであって、長手方向一端面を開放した筒形状に組み立てられ、前記開放した一端面を対向させた姿勢で設置面上に配置される一対の外側筒部と、長手方向両端面を開放した筒形状に組み立てられ、前記一対の外側筒部を繋げるように前記設置面上に配置される少なくとも１つの中間筒部と、を備え、前記中間筒部は、長手方向に延びたヒンジ線を中心に回動する扉部を含んでいる。
【０００８】
この場合、前記中間筒部の長手方向両端部のうち少なくとも一方は、前記外側筒部の外面に重なることが好ましい。
【０００９】
この場合、前記外側筒部は、前記設置面に載置される外側底面板と、前記外側底面板の長手方向に直交する幅方向両端に接続されて多角形断面を形成する少なくとも２枚の外側側面板と、長手方向他端面の全部または一部を閉塞する外側端面板と、を含み、前記中間筒部は、前記設置面に載置される中間底面板と、前記中間底面板の幅方向一端に接続されて前記外側筒部と同一または相似となる多角形断面を形成する少なくとも２枚の中間側面板と、を含んでいることが好ましい。
【００１０】
この場合、幅方向他端側の前記中間側面板は、前記ヒンジ線を介して隣接する他の前記中間側面板に接続されて前記扉部を構成し、前記中間筒部は、前記中間底面板の幅方向他端から幅方向他方に向けて延びた状態で設けられている延出片を含んでいることが好ましい。
【００１１】
この場合、前記外側筒部は、第１外側折線を介して前記外側底面板に接続される２枚の前記外側側面板を含み、前記２枚の外側側面板は、第２外側折線を介して相互に接続され、前記外側端面板は、第３外側折線を介して前記外側底面板に接続され、前記外側底面板および前記外側端面板は、幅方向中央にて長手方向に延びた第４外側折線で折畳み可能に形成され、前記外側筒部は、前記２枚の外側側面板を互いに重ね、且つ前記２枚の外側側面板の間に前記外側底面板を挟むように、前記第１外側折線、前記第２外側折線および前記第４外側折線で折り畳まれた収納形状に変形可能に形成されていることが好ましい。
【００１２】
この場合、前記中間筒部は、２枚の前記中間側面板を含み、幅方向一方の前記中間側面板は、中間折線を介して前記中間底面板に接続され、幅方向他方の前記中間側面板は、前記ヒンジ線を介して幅方向一方の前記中間側面板に接続され、前記中間筒部は、前記中間底面板に幅方向一方の前記中間側面板を重ね、且つ幅方向一方の前記中間側面板に幅方向他方の前記中間側面板を重ねるように、前記中間折線および前記ヒンジ線で折り畳まれた収納形状に変形可能に形成されていることが好ましい。
【考案の効果】
【００１３】
本考案によれば、テントを容易に持ち運ぶことができ、テントの保管スペースを縮小することができる。
【図面の簡単な説明】
【００１４】
【図１】本考案の一実施形態に係るテントを示す斜視図である。
【図２】本考案の一実施形態に係るテントの外側筒部のブランクを示す平面図である。
【図３】本考案の一実施形態に係るテントの中間筒部のブランクを示す平面図である。
【図４】本考案の一実施形態に係る外側筒部のブランクの連結工程を説明する斜視図である。
【図５】本考案の一実施形態に係る外側筒部が収納形状に変形した状態を示す斜視図である。
【図６】本考案の一実施形態に係る中間筒部のブランクの連結工程を説明する斜視図である。
【図７】本考案の一実施形態に係る中間筒部が収納形状に変形した状態を示す斜視図である。
【図８】本考案の一実施形態に係る外側筒部の組立工程を説明する斜視図である。
【図９】本考案の一実施形態に係るテントの扉部を開いた状態を示す斜視図である。
【図１０】本考案の一実施形態の第１変形例に係るテントを示す正面図である。
【図１１】本考案の一実施形態の第２変形例に係るテントを示す正面図である。
【図１２】本考案の一実施形態の第３変形例に係るテントを示す側面図である。
【図１３】本考案の一実施形態の第４変形例に係るテントを示す側面図である。
【考案を実施するための形態】
【００１５】
以下、添付の図面を参照しつつ、本考案の実施形態について説明する。なお、本明細書では、方向や位置を示す用語（例えば、上、下、前、後、左、右などを含む用語）を用いるが、それらの用語は本考案の技術的範囲を限定するものではない。また、図面に示す「Ｆｒ」は「前」を示し、「Ｒｒ」は「後」を示し、「Ｌ」は「左」を示し、「Ｒ」は「右」を示し、「Ｕ」は「上」を示し、「Ｄ」は「下」を示している。
【００１６】
図１ないし図３を参照して、本実施形態に係るテント１について説明する。図１はテント１を示す斜視図である。図２はテント１の外側筒部１０のブランクを示す平面図である。図３はテント１の中間筒部２０のブランクを示す平面図である。
【００１７】
図１に示すように、テント１は、略三角柱状の外形を有し、設置面ＧＬ上に設置されるものである。テント１は、紙製の段ボール板で左右方向に延びた筒形状に組み立てられるものである。なお、「左右方向」が請求項でいう「長手方向」の一例であり、「前後方向」が請求項でいう「幅方向」の一例である。
【００１８】
テント１は、一対の外側筒部１０と、中間筒部２０と、を備えている。一対の外側筒部１０は、それぞれ、略正三角形の断面を有する略有底の筒形状に形成されている。一対の外側筒部１０は、テント１の左右方向の両端部を構成している。中間筒部２０は、略正三角形の断面を有する筒形状に形成されている。中間筒部２０は、一対の外側筒部１０を連結し、テント１の左右方向中間部を構成している。なお、一対の外側筒部１０は、同一形状（左右反転した形状）に形成されているため、以下、１つの外側筒部１０について説明する。
【００１９】
外側筒部１０および中間筒部２０は、それぞれ、複数のブランクを接続することで構成されている。各ブランクは、段ボール板を紙器打抜装置で打ち抜いて形成されている。段ボール板は、例えば、波状の中しん１Ａの表裏両面にライナー１Ｂを貼り合せた周知のものである（図２および図３参照）。この段ボール板は、例えば、強度の高い中しん１Ａにバージンパルプを多く含むライナー１Ｂを貼り合せて強化されている。なお、図２および図３は、表側のライナー１Ｂ（テント１の外面側）を示している。本明細書では、段ボール板の中しん１Ａと平行な方向を「段方向」と呼び、段方向に直交する方向を「流れ方向」と呼ぶこととする。また、図面に示す「Ｘ」は「段方向」を示し、「Ｙ」は「流れ方向」を示している。
【００２０】
＜外側筒部の構成＞
図２に示すように、外側筒部１０（のブランク）は、外側底面板１１と、２枚の外側側面板１２と、外側端面板１３と、を含んでいる。これらの面板１１〜１３は、それぞれ、分離した状態で製造されている。なお、２枚の外側側面板１２は同じものであるため、図２では１枚の外側側面板１２を図示している。
【００２１】
外側底面板１１は、テント１を組み立てた状態で、設置面ＧＬに載置される部材である（図４等参照）。外側底面板１１は、段方向に長い矩形状に形成されている。外側底面板１１の段方向中央には、流れ方向に延びた底面罫線１１Ａが形成されている。なお、底面罫線１１Ａは、裏側のライナー１Ｂを板厚方向に線状に潰した罫線である。
【００２２】
２枚の外側側面板１２は、テント１を組み立てた状態で、外側底面板１１の前後方向両端に接続されて略正三角形断面を形成する部材である（図１参照）。各外側側面板１２は、外側底面板１１と同じ大きさ、同じ形状に形成されている。なお、各外側側面板１２には、罫線は形成されていない。
【００２３】
外側端面板１３は、テント１を組み立てた状態で、外側筒部１０の右端面（または左端面）の一部を閉塞する部材である（図１参照）。外側端面板１３は、段方向に長い矩形状に形成されている。詳細には、外側端面板１３の段方向の寸法は外側底面板１１の段方向の寸法と同じに形成され、外側端面板１３の流れ方向の寸法は外側底面板１１の流れ方向の寸法よりも短く形成されている。
【００２４】
外側端面板１３の段方向中央には、流れ方向に延びた端面罫線１３Ａが形成されている。また、外側端面板１３には、流れ方向に対して斜めに延びた一対の傾斜罫線１３Ｂが形成されている。一対の傾斜罫線１３Ｂは、外側端面板１３の流れ方向一辺の両端（流れ方向に対向する一対の角部）から流れ方向他辺に向けて端面罫線１３Ａ側に傾いて形成されている。一対の傾斜罫線１３Ｂは、端面罫線１３Ａを中心に線対称となるように形成されている。各傾斜罫線１３Ｂと外側端面板１３の流れ方向一辺とが成す角度は６０度になっている。なお、端面罫線１３Ａおよび各傾斜罫線１３Ｂは、それぞれ、底面罫線１１Ａと同様の罫線である。
【００２５】
＜中間筒部の構成＞
図３に示すように、中間筒部２０（のブランク）は、中間底面板２１と、２枚の中間側面板２２と、を含んでいる。これらの面板２１，２２は、それぞれ、分離した状態で製造されている。
【００２６】
中間底面板２１は、テント１を組み立てた状態で、設置面ＧＬに載置される部材である（図６参照）。中間底面板２１は、段方向に長い矩形状に形成されている。中間底面板２１は、外側底面板１１よりも一回り大きな矩形状に形成されている。中間底面板２１の段方向一端には、中間罫線２１Ａを介して延出片２３が連なった状態で設けられている。なお、中間罫線２１Ａは、底面罫線１１Ａと同様の罫線である。
【００２７】
２枚の中間側面板２２は、テント１を組み立てた状態で、中間底面板２１の後端に接続されて外側筒部１０と相似となる三角形断面を形成する部材である（図１参照）。各中間側面板２２は、延出片２３を除いた中間底面板２１と同じ大きさ、同じ形状に形成されている。テント１を組み立てた状態で前側に配置される中間側面板２２には、略楕円形の操作穴２４が開けられている。操作穴２４は、中間側面板２２の段方向一辺側で、流れ方向中央に形成されている。詳細は後述するが、操作穴２４が開口した中間側面板２２は、テント１の出入口Ｄを開閉するための扉部２５を構成することになる。
【００２８】
＜外側筒部のブランクの連結工程等＞
図４および図５を参照して、外側筒部１０のブランクの連結工程等について説明する。図４は外側筒部１０のブランクの連結工程を説明する斜視図である。図５は外側筒部１０が収納形状Ｓ１に変形した状態を示す斜視図である。なお、以下の説明において作業者とは、専門の作業者やテント１の使用者等を含んでいる。
【００２９】
まず、図４に示すように、作業者は、２枚の外側側面板１２の段方向一辺（下端部）を外側底面板１１の段方向（前後方向）両辺に粘着テープＴで接続する。２枚の外側側面板１２は、第１外側折線１４を介して外側底面板１１に接続された状態になる。続いて、作業者は、２枚の外側側面板１２の段方向他辺同士（上端部同士）を粘着テープＴで接続する。２枚の外側側面板１２は、第２外側折線１５を介して相互に接続された状態になる。この状態で、外側底面板１１と２枚の外側側面板１２とは、略正三角形状の断面を有する筒形状を形成している。
【００３０】
次に、作業者は、外側端面板１３の流れ方向一辺を外側底面板１１の流れ方向一辺に粘着テープＴで接続する（図１参照）。外側端面板１３は、第３外側折線１６を介して外側底面板１１に接続された状態になる。この状態で、外側底面板１１の底面罫線１１Ａと、外側端面板１３の端面罫線１３Ａとは、同一直線上に配置され、１本の第４外側折線１７を形成する。外側底面板１１および外側端面板１３は、前後方向中央にて左右方向に延びた第４外側折線１７で折畳み可能に形成されている。
【００３１】
以上によって、外側筒部１０のブランク連結が完了する。なお、各外側側面板１２を外側底面板１１に接続する前に、外側端面板１３を外側底面板１１に接続してもよい。
【００３２】
図５に示すように、連結された外側筒部１０は、収納形状Ｓ１に変形可能に形成されている。詳細には、作業者は、外側底面板１１および外側端面板１３を上方に凸となるように第４外側折線１７で折り曲げる。これに伴って、２枚の外側側面板１２は、互いに重なるように内側に向けて第２外側折線１５で折れ曲がる。すると、外側筒部１０は、２枚の外側側面板１２の間に外側底面板１１を挟むように、第１外側折線１４、第２外側折線１５および第４外側折線１７で折り畳まれた収納形状Ｓ１に変形する。外側筒部１０は、収納形状Ｓ１に変形した状態で倉庫等の保管場所に保管される。
【００３３】
＜中間筒部のブランクの連結工程等＞
図６および図７を参照して、中間筒部２０のブランクの連結工程等について説明する。図６は中間筒部２０のブランクの連結工程を説明する斜視図である。図７は中間筒部２０が収納形状Ｓ２に変形した状態を示す斜視図である。
【００３４】
まず、図６に示すように、作業者は、操作穴２４が無い中間側面板２２の段方向一辺を中間底面板２１の段方向一辺に粘着テープＴで接続する。後側の中間側面板２２は、中間折線２６を介して中間底面板２１に接続された状態になる。続いて、作業者は、操作穴２４を形成した中間側面板２２の段方向一辺を後側の中間側面板２２の段方向他辺に粘着テープＴで接続する（図１参照）。前側の中間側面板２２は、ヒンジ線２７を介して後側の中間側面板２２に接続された状態になる。この状態で、中間底面板２１と２枚の中間側面板２２とは、段方向に一列に連結される。
【００３５】
以上によって、中間筒部２０のブランクの連結が完了する。なお、後側の中間側面板２２を中間底面板２１に接続する前に、２枚の中間側面板２２同士を接続してもよい。
【００３６】
図７に示すように、連結された中間筒部２０は、収納形状Ｓ２に変形可能に形成されている。詳細には、作業者は、中間底面板２１に後側の中間側面板２２を重ねるように中間折線２６で折り曲げる。また、作業者は、後側の中間側面板２２に前側の中間側面板２２（扉部２５）を重ねるようにヒンジ線２７で折り曲げる。すると、中間筒部２０は、中間底面板２１に２枚の中間側面板２２を積層するように中間折線２６およびヒンジ線２７で折り畳まれた収納形状Ｓ２に変形する。中間筒部２０は、収納形状Ｓ２に変形した状態で倉庫等の保管場所に保管される。
【００３７】
また、連結された中間筒部２０は、各面板２１，２２を各線２６，２７で略６０度に折り曲げることで、左右方向両端面を開放した略正三角形の筒形状に組み立てられる（図１参照）。この状態で、前側の中間側面板２２は、ヒンジ線２７を介して後側の中間側面板２２に接続されて扉部２５を構成している。
【００３８】
＜テントの組立工程＞
次に、図１、図８および図９を参照して、テント１の組立工程について説明する。図８は外側筒部１０の組立工程を説明する斜視図である。図９はテント１の扉部２５を開いた状態を示す斜視図である。
【００３９】
まず、作業者は、２つの外側筒部１０と１つの中間筒部２０とを１セットとして、保管場所から設置場所に運ぶ。各外側筒部１０および中間筒部２０は、収納形状Ｓ１，Ｓ２（図５および図７参照）に変形した状態で運搬される。
【００４０】
作業者は、折り畳まれた外側筒部１０を前後方向に開き、外側底面板１１と２枚の外側側面板１２とで筒形状を形作る（図４参照）。この状態で、外側筒部１０の一端面（図４では右端面）は、その全体を開放されている。次に、図８に示すように、作業者は、外側端面板１３の前後両側を各傾斜罫線１３Ｂで折り曲げて前後一対の係合片１３Ｃを形成する。この状態で、外側端面板１３は平面から見て略台形状に形成され、各係合片１３Ｃは正面から見て略三角形状に形成されている。続いて、作業者は、外側端面板１３を第３外側折線１６で折り曲げ、前後一対の係合片１３Ｃを３枚の面板１１，１２から成る筒形状の内側に差し込む（図９参照）。外側端面板１３は、外側筒部１０の他端面（図９では左端面）の下側ほとんどを閉塞している。また、外側筒部１０の他端面の上部には、略三角形状の通気開口Ｖが形成されている。以上のように、２つの外側筒部１０は、左右方向一端面を開放した略有底の筒形状に組み立てられる。
【００４１】
次に、作業者は、設置面ＧＬ上において、折り畳まれた中間筒部２０を前後方向に開く（図６参照）。続いて、図９に示すように、作業者は、組み立てた各外側筒部１０の外側底面板１１を下側に向け、一対の外側筒部１０の開放した面を対向させた姿勢で一対の外側筒部１０を設置面ＧＬ上に配置する。詳細には、一対の外側筒部１０は、左右方向に間隔をあけて、中間筒部２０の中間底面板２１の左右両端部上に重ねた状態で配置する。なお、各外側筒部１０と中間筒部２０との重なり幅は、３０〜１００ｍｍ程度であることが好ましい。
【００４２】
次に、作業者は、後側の中間側面板２２を中間折線２６で折り曲げ（図６参照）、前側の中間側面板２２をヒンジ線２７で折り曲げる（図１参照）。すると、図１に示すように、中間筒部２０は、略正三角形断面を有する筒形状に組み立てられ、一対の外側筒部１０を繋げる（一対の外側筒部１０の間に架け渡される）ように設置面ＧＬ上に配置された状態になる。また、中間筒部２０の左右方向両端部は、外側筒部１０の外面に重なった状態になる（図１参照）。なお、図１に示すように、扉部２５としての前側の中間側面板２２は、自重によって各外側筒部１０の外側側面板１２に接触した状態に保持され、一対の外側筒部１０（外側側面板１２）の間に形成された出入口Ｄ（図９参照）を閉じている（覆っている）。
【００４３】
以上によって、テント１の組み立てが完了する。テント１の内部には、大人１人が横になることができる程度の左右方向に長い空間が構成されている。中間筒部２０の延出片２３は、中間底面板２１の前端から前方に向けて延びた状態で設けられている。なお、図示は省略するが、各外側筒部１０と中間筒部２０とが分離しないように、各外側筒部１０と中間筒部２０との重なり部分に粘着テープを貼り付けてもよい。
【００４４】
使用者がテント１の内部に入る場合、使用者は、扉部２５（前側の中間側面板２２）の操作穴２４に手（指）を掛け、ヒンジ線２７を中心にして扉部２５を上方に回動させる（図９参照）。これにより、テント１の出入口Ｄが開き、使用者は出入口Ｄからテント１内に入ることができる。また、テント１内にいる使用者は、扉部２５を外側に押すことで上方に回動させて出入口Ｄを開き、テント１内から外に出ることができる。
【００４５】
使用後のテント１を撤去する場合、作業者は、上記したテント１の組立工程の逆工程を実行し、テント１を２つの外側筒部１０と中間筒部２０とに分割する。各外側筒部１０と中間筒部２０とは、再び収納形状Ｓ１，Ｓ２に折り畳まれた状態で保管場所に保管されたり、束ねられて廃棄処分されたりする。
【００４６】
以上説明した本実施形態に係るテント１は、２つの外側筒部１０と１つの中間筒部２０とに分割可能に形成されている。この構成によれば、テント１を三分割にすることで、分割できないテントに比べて、テント１の左右方向（長手方向）長さを約１／３にすることができる。これにより、分割した状態の外側筒部１０と中間筒部２０とを作業者にとって持ち運び易い大きさに形成することができる。また、テント１を三分割した状態で倉庫等の保管場所に保管することができる。これにより、分割できないテントに比べて、テント１（外側筒部１０および中間筒部２０）の収納スペースを小さくすることができる。
【００４７】
また、本実施形態に係るテント１では、中間筒部２０が左右方向に延びたヒンジ線２７を中心に回動する扉部２５を含む構成とした。そして、扉部２５が開閉する出入口Ｄがテント１の正面中央部に形成されていた。これにより、出入口Ｄを大きく確保することが可能になり、利用者が容易にテント１に出入することができる。なお、例えば、利用者は、一方の外側筒部１０の外側端面板１３を開いて、その開口からテント１に出入してもよい。しかしながら、仮に、テント１の長手方向端面を出入口とすると、利用者は這うようにしてテント１に出入しなければならず、出入し難い場合がある。したがって、本実施形態に係るテント１のように、出入口Ｄがテント１の正面側に設けられていることが好ましい。
【００４８】
さらに、本実施形態に係るテント１では、外側筒部１０と中間筒部２０とが、テント１の全長に比べて十分に短く形成されているため、これらの長さを多少増加させても、持ち運びや保管等が困難になることがない。したがって、外側筒部１０または中間筒部２０の左右方向の長さを増減させることで、テント１の全長を調整（変更）することができる。これにより、利用者の要望や設置場所に応じた長さのテント１を提供することができる。
【００４９】
また、本実施形態に係るテント１では、中間筒部２０の左右両端部が外側筒部１０の外面に重なっているため、扉部２５を外側に開くことができる。扉部２５が後方に傾くように跳ね上げられることで出入口Ｄが完全に開放されるため、扉部２５がテント１に出入する使用者の障害になることを抑制することができる。また、各外側筒部１０と中間筒部２０とのオーバーラップ量を変更することで、テント１の全長を微調整することができる。
【００５０】
また、本実施形態に係るテント１では、各外側筒部１０は、外側底面板１１と２枚の外側側面板１２とを略三角形状に繋ぎ合わせることで構成されている。これと同様に、中間筒部２０は、中間底面板２１と２枚の中間側面板２２とを略三角形状に繋ぎ合わせることで構成されている。これにより、段ボール板に複雑な加工を施すことなく、簡単、且つ安価にテント１を製造することができる。
【００５１】
また、本実施形態に係るテントでは、延出片２３が扉部２５の先端部（閉じた状態で下端部）と設置面ＧＬとの間に配置されるため、扉部２５の先端部が設置面ＧＬに直接触れることがない。これにより、例えば、テント１が屋外に設置された場合に、扉部２５の先端部に土や砂等の汚れが付着することを抑制することができる。なお、図示は省略するが、扉部２５を閉じた状態で、延出片２３を中間罫線２１Ａで上方に折り曲げ、延出片２３に切り込まれたロック片を扉部２５の操作穴２４に押し込む構成としてもよい。これにより、扉部２５をロックすることができる。また、図示は省略するが、他にも、扉部２５を閉じた状態で、テント１の内側から操作穴２４を貫通する貫通片に南京錠等を取付可能に構成してもよい。なお、本実施形態に係るテントでは、中間底面板２１と延出片２３とが一体に形成されていたが、これに限らず、中間底面板２１と延出片２３とを別々に形成し、粘着テープＴ等で接続してもよい。
【００５２】
また、本実施形態に係るテント１では、外側筒部１０と中間筒部２０とが略正三角形の断面を有する筒形状に組み立てられている。このように、外側筒部１０および中間筒部２０をトラス構造とすることで、軽量で変形に強いテント１を構成することができる。また、外側筒部１０と中間筒部２０とは、コンパクトな収納形状Ｓ１，Ｓ２に折り畳まれる。これにより、作業者は収納形状Ｓ１，Ｓ２に変形した外側筒部１０と中間筒部２０とを容易に持ち運ぶことができる。また、外側筒部１０と中間筒部２０とを収納形状Ｓ１，Ｓ２に変形させることで、テント１の収納スペースを縮小することができる。
【００５３】
＜第１および第２変形例＞
本実施形態に係るテント１では、２つの外側筒部１０と、１つの中間筒部２０と、を備えていたが、本考案はこれに限定されない。テント１は、一対の外側筒部１０と、少なくとも１つ中間筒部２０と、を備えていればよい。例えば、図１０に示すように、第１変形例に係るテント２は、２つの外側筒部１０と、２つ中間筒部２０と、を備えていてもよい。この場合、２つの中間筒部２０は、互いに重なることなく、隙間なく並べて配置されている。左側の中間筒部２０の左端部は、左側の外側筒部１０に重なり、右側の中間筒部２０の右端部は、右側の外側筒部１０に重なっている。また、例えば、図１１に示すように、第２変形例に係るテント３は、２つの外側筒部１０と、３つの中間筒部２０と、を備えていてもよい。この場合、中央の中間筒部２０は外側筒部１０と同じ大きさに形成され、中央の中間筒部２０の左右両端部は他の２つの中間筒部２０の内側に重なっている。なお、図示は省略するが、中央の中間筒部２０は他の２つの中間筒部２０よりも大きく形成されて、他の２つの中間筒部２０の外側に重なってもよい。
【００５４】
＜第３変形例＞
本実施形態に係るテント１〜３では、外側筒部１０と中間筒部２０とが略正三角形状の断面を有していたが、本考案はこれに限定されない。例えば、図１２に示すように、第３変形例に係るテント４では、外側筒部３０および中間筒部４０が略正方形状の断面を有している。外側筒部３０は、外側底面板１１と、３枚の外側側面板１２と、外側端面板３１と、を接続して、略正方形断面を有する略有底の筒形状を形成している。また、中間筒部４０は、中間底面板２１と、３枚の中間側面板２２と、を接続して、略正方形断面を有する筒形状を形成している。
【００５５】
＜第４変形例＞
他にも、図１３に示すように、第４変形例に係るテント５では、外側筒部５０および中間筒部６０が略半円形状の断面を有している。外側筒部５０は、外側底面板１１と、２枚の外側側面板５１と、外側端面板５２と、を接続して、略半円形状の断面を有する略有底の筒形状を形成している。また、中間筒部６０は、中間底面板２１と、２枚の中間側面板６１と、を接続して、略半円形状の断面を有する筒形状を形成している。外側側面板５１および中間側面板６１は、それぞれ、湾曲した面を成すように円弧状に形成されている。
【００５６】
なお、本実施形態に係るテント１〜５（外側筒部１０，３０，５０、中間筒部２０，４０，６０）は、略正三角形状、略正方形状または略半円形状の断面を有する筒形状に組み立てられていたが、本発明はこれに限定されない。図示は省略するが、例えば、外側筒部１０，３０，５０（以下、「外側筒部１０等」という。）および中間筒部２０，４０，６０（以下、「中間筒部２０等」という。）は、それぞれ、正三角形以外の三角形、長方形、台形状または五角形以上の多角形状等、様々な断面を有する筒形状に形成されていてもよい。つまり、各側面板１２，２２，５１，６１の枚数を断面形状に応じて増減してもよい。
【００５７】
また、本実施形態に係るテント１〜５は、中間筒部２０等の一部を外側筒部１０等の一部の外面にオーバーラップさせていたが、本考案はこれに限定されない。図示は省略するが、例えば、外側筒部１０等と中間筒部２０等とを同じ大きさの断面に形成し、外側筒部１０等と中間筒部２０等とを、重ねずに、隙間なく並べて配置してもよい。この場合、隣接する外側筒部１０等と中間筒部２０等と（または隣接する中間筒部２０等同士）は粘着テープＴで連結されることが好ましい。また、中間筒部２０等が外側筒部１０等の内面に重なってもよい。この場合、前側の中間側面板２２，６１に切り込みを入れて扉部２５を形成することが好ましい。
【００５８】
また、本実施形態に係るテント１〜５は、複数のブランクを粘着テープＴで接続していたが、本考案はこれに限定されない。図示は省略するが、例えば、外側筒部１０等および中間筒部２０等は、それぞれ、１枚の段ボール板を打ち抜いて１枚のブランクとして形成されていてもよい。この場合、１枚のブランクに罫線を入れることで各面板１１〜１３，２１，２２，３１，５１，５２，６１（以下、「各面板１１等」という。）を区画し、各面板１１等を罫線で折り曲げることで外側筒部１０等や中間筒部２０等を形成することができる。
【００５９】
また、本実施形態に係るテント１〜５では、外側筒部１０等および中間筒部２０等が収納形状Ｓ１，Ｓ２に折り畳まれた状態で保管場所に保管されていたが、これに限らず、外側筒部１０等および中間筒部２０等を組み立てる前のブランク（各面板１１等）の状態で保管されてもよい。
【００６０】
また、本実施形態に係るテント１〜５では、扉部２５は上辺（ヒンジ線２７）を中心に回動していたが、これに限らず、ヒンジ線２７が扉部２５の下辺を形成するように中間筒部２０等を筒形状に組み立ててもよい。また、外側端面板１３，３１，５２が外側筒部１０等の端面の下部を閉塞していたが、これに限らず、外側端面板１３，３１，５２が外側筒部１０等の端面の全部を閉塞してもよい。
【００６１】
また、本実施形態に係るテント１〜５は、強化された紙製の段ボール板で形成されていたが、本考案はこれに限定されない。例えば、テント１を屋外等で使用する場合、テント１が防水性を備えた紙製の段ボール板で形成されていてもよい。また、例えば、テント１は、樹脂製の段ボール板で形成されていてもよいし、厚板紙で形成されていてもよい。厚板紙としては、例えば、ファイバーボード（木材繊維と接着剤とを混合して熱圧成型したボード）を用いることができる。
【００６２】
なお、上記実施形態の説明は、本考案に係るテントにおける一態様を示すものであって、本考案の技術範囲は、上記実施形態に限定されるものではない。
【符号の説明】
【００６３】
１，２，３，４，５  テント
１０，３０，５０    外側筒部
１１        外側底面板
１２，５１  外側側面板
１３，３１，５２    外側端面板
１４        第１外側折線
１５        第２外側折線
１６        第３外側折線
１７        第４外側折線
２０，４０，６０    中間筒部
２１        中間底面板
２２，６１  中間側面板
２３        延出片
２５        扉部
２６        中間折線
２７        ヒンジ線
ＧＬ        設置面
Ｓ１，Ｓ２  収納形状
【図１】
0003209060.tif 000003
【図２】
0003209060.tif 000004
【図３】
0003209060.tif 000005
【図４】
0003209060.tif 000006
【図５】
0003209060.tif 000007
【図６】
0003209060.tif 000008
【図７】
0003209060.tif 000009
【図８】
0003209060.tif 000010
【図９】
0003209060.tif 000011
【図１０】
0003209060.tif 000012
【図１１】
0003209060.tif 000013
【図１２】
0003209060.tif 000014
【図１３】
0003209060.tif 000015